(57)【要約】      （修正有）【課題】ガラス容器製造時に、モールドおよびブローヘッドを備えるブロー側と、ブランク側とを有する独立セクション型（ＩＳ）マシンのシステムを提供する。【解決手段】このシステムは、ＩＳマシン１１０のＥＰＶＢに流体連通されるＰスイッチバルブ１０８を含み、Ｐスイッチバルブ１０８は、所定のパイロットバルブまでのバルブパイロット空気供給装置を制御するように構成される。Ｐスイッチバルブ１０８が起動されると、ブロー側のモールド１１６がＯＰＥＮ位置に設定され、付随するブローヘッド１１４がＵＰ位置に設定される。システムのＰスイッチバルブ１０８が起動された状態では、ブロー側１１２の機械はＩＳマシン１１０のブランク側１１８からは無効化され得ない。【選択図】図１
2013166688.tif 000002
【特許請求の範囲】
【請求項１】
モールド内にある欠陥品の容器を取り外さなければならないときに、ＩＳマシンのブロー側にある少なくとも１つのセクション内にあるブローヘッドおよびブローモールドの動作を制御するためのシステムにおいて、前記ＩＳマシンが、ブランク側パイロット空気供給装置を備えるブランク側と、前記ブローヘッドおよび前記ブローモールドのうちの一方に結合された動作バルブおよびパイロットバルブを有するＥＰＶＢとを含む、システムであって、
前記ＩＳマシンの前記ブロー側に設置され、前記ＥＰＶＢと前記ブランク側のパイロット空気供給装置とに結合されている、Ｐスイッチバルブと、
前記Ｐスイッチバルブを前記パイロットバルブと前記ブランク側のパイロット空気供給装置とに結合する配管網と
を備え、前記Ｐスイッチバルブおよび前記配管網が、前記欠陥品の容器が取り外されるまで前記ＩＳマシンの前記ブランク側から前記ブロー側のモールドおよびブローヘッドが作動されるのを防止するように構成されている、システム。
【請求項２】
前記ＩＳマシンの前記ブランク側のパイロット空気供給装置が前記配管網を介して前記Ｐスイッチバルブに直接に接続され、次いで前記ＥＰＶＢに結合される、請求項１に記載の、ＩＳマシンのブロー側にある少なくとも１つのセクション内にあるブローヘッドおよびブローモールドの動作を制御するためのシステム。
【請求項３】
前記配管網と、前記少なくとも１つのセクションのＥＰＶＢとに結合された１つの追加のＰスイッチバルブをさらに含み、１つのＰスイッチバルブが前記ブローヘッドに結合され、１つのＰスイッチバルブが前記ブローモールドに結合され、各それぞれのＰスイッチバルブが、前記ブローヘッドをＵＰ位置に、また前記ブローモールドをＯＰＥＮ位置に設定するように構成される、請求項１に記載の、ＩＳマシンのブロー側にある少なくとも１つのセクション内にあるブローヘッドおよびブローモールドの動作を制御するためのシステム。
【請求項４】
前記配管網が、前記ＩＳマシンの前記ブロー側にある前記Ｐスイッチに結合されたブロー側のマニホルドを用いずに構成される、請求項１に記載の、ＩＳマシンのブロー側にある少なくとも１つのセクション内にあるブローヘッドおよびブローモールドの動作を制御するためのシステム。
【請求項５】
前記ＩＳマシンの前記ブランク側のパイロット空気供給装置が前記配管網を介して各Ｐスイッチバルブに直接に接続される、請求項４に記載の、ＩＳマシンのブロー側にある少なくとも１つのセクション内にあるブローヘッドおよびブローモールドの動作を制御するためのシステム。
【請求項６】
前記Ｐスイッチバルブおよび前記配管網が、前記欠陥品の容器が取り外されるまで前記ＩＳマシンが手動で作動されるのを防止するように構成される、請求項１に記載の、ＩＳマシンのブロー側にある少なくとも１つのセクション内にあるブローヘッドおよびブローモールドの動作を制御するためのシステム。
【請求項７】
前記ＩＳマシンの少なくとも１つの追加のセクションにおいて前記ＩＳマシンの前記ブランク側から前記ブロー側のモールドおよびブローヘッドが作動されるのを防止するように構成されるＰスイッチおよび配管網をさらに含む、請求項１に記載の、ＩＳマシンのブロー側にある少なくとも１つのセクション内にあるブローヘッドおよびブローモールドの動作を制御するためのシステム。
【請求項８】
モールド内にある欠陥品の容器を取り外さなければならない場合にＩＳマシンを制御するための方法において、前記ＩＳマシンが、ブロー側とブランク側とを有する少なくとも１つのセクションを含み、前記ＩＳマシンが、選択的なブローヘッドおよびブローモールドの動作を制御するためのＥＰＶＢを含む、方法であって、
各々が前記ブローヘッドおよび前記ブローモールドに結合される、ブロー側の動作バルブと、ブロー側の低圧マニホルドと、ブロー側の排出マニホルドとを取り外すステップと、
前記ＩＳマシン上に配管網を設置するステップであって、前記配管網が、ブロー側のＰスイッチバルブ、前記ＥＰＶＢ、およびブランク側のパイロット空気供給装置と流体連通しており、前記配管網および前記ブロー側のＰスイッチバルブが、前記欠陥品の容器が取り外されるまで前記ＩＳマシンの前記ブランク側から前記ブローモールドおよび前記ブローヘッドが作動されるのを防止するように構成されている、ステップと
を含む方法。
【請求項９】
前記配管網を介して前記ＩＳマシンの前記ブランク側のパイロット空気供給装置を前記Ｐスイッチバルブに直接に接続し、次いで前記ＥＰＶＢに結合するステップを含む、請求項８に記載の、モールド内にある欠陥品の容器を取り外さなければならない場合にＩＳマシンを制御するための方法。
【請求項１０】
１つの追加のＰスイッチバルブを前記少なくとも１つのセクションの前記配管網および前記ＥＰＶＢに結合するステップをさらに含み、１つのＰスイッチバルブが前記ブローモールドに結合され、１つのＰスイッチバルブが前記ブローヘッドに結合され、各それぞれのＰスイッチバルブが、前記ブローモールドをＯＰＥＮ位置に、また前記ブローヘッドをＵＰ位置に設定するように構成される、請求項８に記載の、モールド内にある欠陥品の容器を取り外さなければならない場合にＩＳマシンを制御するための方法。
【請求項１１】
前記ＩＳマシンからブロー側のマニホルドを取り外すステップをさらに含む、請求項８に記載の、モールド内にある欠陥品の容器を取り外さなければならない場合にＩＳマシンを制御するための方法。
【請求項１２】
前記配管網を介して前記ＩＳマシンの前記ブランク側のパイロット空気供給装置を各Ｐスイッチバルブに直接に接続するステップを含む、請求項１１に記載の、モールド内にある欠陥品の容器を取り外さなければならない場合にＩＳマシンを制御するための方法。
【請求項１３】
前記配管網および前記Ｐスイッチバルブが、前記欠陥品の容器が取り外されるまで前記ＩＳマシンが手動で作動されるのを防止するように構成される、請求項８に記載の、モールド内にある欠陥品の容器を取り外さなければならない場合にＩＳマシンを制御するための方法。
【請求項１４】
前記ＩＳマシンの前記ブランク側から前記ブローモールドおよび前記ブローヘッドが作動されるのを防止するように、前記ＩＳマシンの少なくとも１つのセクションを構成するステップをさらに含む、請求項８に記載の、モールド内にある欠陥品の容器を取り外さなければならない場合にＩＳマシンを制御するための方法。
【発明の詳細な説明】
【関連出願の相互参照】
【０００１】
[0001]本特許出願は、「Ｐ−Ｓｎａｐ  Ｐｉｌｏｔ  Ｏｐｅｒａｔｉｎｇ  Ａｉｒ  Ｓｕｐｐｌｙ  Ｃｏｎｔｒｏｌｌｅｒ」と題される、２０１２年１月１６日に出願された米国仮特許出願第６１／５８６，８９２号の優先権を主張するものであり、これは添付の付属書類と共に参照によりその全体が本明細書に組み込まれる。
【技術分野】
【０００２】
[0002]本発明は、ガラス容器を作るための独立セクション型（ｉｎｄｉｖｉｄｕａｌ  ｓｅｃｔｉｏｎ（ＩＳ））マシンに関し、より詳細には、ＩＳマシンのブロー側にあるＰスイッチバルブ（Ｐスイッチ）パイロット動作空気供給コントローラ（Ｐ−Ｓｗｉｔｃｈ  ｖａｌｖｅ（Ｐ−Ｓｗｉｔｃｈ）ｐｉｌｏｔ  ｏｐｅｒａｔｉｎｇ  ａｉｒ  ｓｕｐｐｌｙ  ｃｏｎｔｒｏｌｌｅｒ）に関する。
【背景技術】
【０００３】
[0003]ガラス容器は、３つの個別の処理、すなわち、バッチハウス、ホットエンドおよびコールドエンド、を有する製造プロセスで作られる。バッチハウスでは、ガラスの原材料（通常、砂、炭酸ソーダ、石灰石、長石、カレット（粉砕されたリサイクルガラス）、および、別の原材料）が用意されて混合されてバッチが得られる。ホットエンドは炉で開始され、炉内では、バッチ材料が溶融されて溶融ガラスとなり、この炉から溶融ガラスのストリームが流れ出る。
【０００４】
[0004]溶融ガラスが剪断ブレードで、ゴブと呼ばれるガラスの均一のセグメントに切断され、このガラスの均一のセグメントは重力により降下し、トラフとシュートを通してブランクモールド内へと誘導される。ブランクモールドでは、ブランクモールド内にガラスを押し出す金属プランジャを使用するか、または、下方からガラスをブランクモールド内へと吹込み成形することにより、パリソンと呼ばれる容器の前段階のもの（ｐｒｅ−ｃｏｎｔａｉｎｅｒ）が形成される。パリソンは反転されてモールドへと移送され、モールドでは、パリソンが吹込み成形されて容器の形状となる。通常、この製造プロセスは、５個から２６個の間の同一のセクションを包含する独立セクション型（ＩＳ）成形機で実施され、これらのセクションの各々は１個、２個、３個または４個の容器を同時に作ることができる。
【０００５】
[0005]また、ホットエンドは、非一様な冷却を原因とする応力により容器のガラスが脆化するのを防止するアニールプロセスを含む。アニールプロセスは、容器を加熱するためのアニール炉またはＬｅｈｒを使用して一様な冷却を実施して次いで容器を２０分から６０分緩やかに冷却するのに、使用される。
【０００６】
[0006]パリソンをブローして次いでそのブローされたパリソンを冷却してガラス容器を形成するための装置が使用されるところの、ブローステーション（別名、ブロー側）が設けられることが知られている。ブランクモールドでは、パリソンを正しい側が上の向きに反転させてさらにパリソンを正しい側が上の向きに配置してさらにパリソンをブローモールド内に配置するための反転機構により、パリソンが形成され、パリソン（その首部の上に位置するパリソンの部分）が最終的にブローモールドの頂部から延在する状態となり、パリソンがブランクモールドから取り外される。パリソンの仕上げに従事するブローステーションにおいて、ブローヘッドがブローモールドの頂部上の定位置に配置され、このブローヘッドが、ブローヘッドからパリソンの頂部端部の内部まで下方に延在するブローチューブを通して圧力下で空気（「ファイナルブロー」エアーと称される）を提供し、それによりパリソンがブローモールドの内部に接触するようになり、ブローモールドの内部の形状を有するブローされたパリソンが作られる。
【０００７】
[0007]次いで、ブローされたパリソンが、握持されるのに十分な剛性を有する温度まで冷却され、垂れ下がったりまたは別の形に変形したりすることなく取り出し機構によりブローステーションから取り外される。ブローされたパリソンの外側表面はブローモールドを冷却することにより冷却され、ブローされたパリソンの内側表面は、ブローチューブを通ってブローされたパリソン内に流れ込む内部冷却空気によって冷却される。この冷却空気は、ブローヘッド内の常時開いている調整可能な排出口を通してボトルの内部から排出される。
【０００８】
[0008]場合によっては、変形したり圧壊したりすることがないように、ＩＳマシンのブロー側から容器を取り外す必要がある可能性がある。このような圧壊はモールド温度が適切でないことが原因である場合がある。このような状況では、操作者が、Ｐスイッチバルブ（Ｐスナップバルブ（Ｐ−Ｓｎａｐ  ｖａｌｖｅ）とも称される）を起動させてブローモールドを開け、ブローヘッドを上方に移動させ、それにより操作者が欠陥品の容器を取り外すことができるようになる。機械およびガラス容器が高温であることから、取り外し作業中にＩＳマシンが予期せずに起動されると、操作者が怪我をする可能性がある。
【０００９】
[0009]欧州連合が、ＩＳマシンのブロー側が予期せず起動または作動するのを防止するための処置を必要とするための特定の規制を、Ｅｕｒｏｐｅａｎ  Ｓｔａｎｄａｒｄ  ＥＮ  １３０４２−３，２００７，の具体的には英語版のセクション５．４の中に、定めた。
【００１０】
[0010]本発明の装置はまた、耐久性および持続性の両方を有する構成でなければならず、さらには、その動作寿命を通して使用者によるメンテナンスをほとんどまたはまったく必要としないようにしなければならない。本発明の装置のマーケットアピールを高めるために、本発明の装置はさらに、可能な限り広い市場で使用されるのを可能にするために安価な構成でなければならない。最後に、上述したすべての利点はまた、関連する実質的な欠点を一切生じさせることなく実現されることが望ましい。
【００１１】
[0011]本発明の背景技術のセクションで考察される主題は、本背景技術で単に言及することで従来技術であるとみなされるべきではない。同様に、背景技術のセクションで言及される問題、または、本発明の背景技術のセクションの主題に付随する問題は、従来技術で既に認識されているとみなされるべきではない。背景技術のセクションの主題は、それ自体が発明でもあってよい様々な複数のアプローチを単に代表している。
【先行技術文献】
【非特許文献】
【００１２】
【非特許文献１】Ｅｕｒｏｐｅａｎ  Ｓｔａｎｄａｒｄ  ＥＮ  １３０４２−３，２００７
【発明の概要】
【発明が解決しようとする課題】
【００１３】
[0012]上で考察した背景技術の欠点および制限は本発明によって克服される。
【課題を解決するための手段】
【００１４】
[0013]モールドおよびブローヘッドを備えるブロー側と、ブランク側とを有する独立セクション型（ＩＳ）マシンのシステムが提供され、このシステムは、ＩＳマシンのＥＰＶＢに流体連通されるＰスイッチバルブを含み、Ｐスイッチバルブは、所定のパイロットバルブまでのバルブパイロット空気供給装置（ｖａｌｖｅ  ｐｉｌｏｔ  ａｉｒ  ｓｕｐｐｌｙ）を制御するように構成される。Ｐスイッチが起動されると、ブロー側のモールドがＯＰＥＮ位置に設定され、付随するブローヘッドがＵＰ位置に設定される。システムのＰスイッチバルブが起動された状態では、ブロー側の機械はＩＳマシンのブランク側からは無効化され得ない。
【００１５】
[0014]ＩＳマシンのブロー側にある少なくとも１つのセクション内にあるブローヘッドおよびブローモールドの動作を制御するシステムが提供される。この制御システムは、モールド内にある欠陥品の容器を取り外さなければならないときに使用される。ＩＳマシンは、ブランク側パイロット空気供給装置を備えるブランク側と、ブローヘッドおよびブローモールドのうちの一方に結合された動作バルブおよびパイロットバルブを有するＥＰＶＢとを含む。このシステムはＩＳマシンのブロー側に設置されるＰスイッチバルブを含み、Ｐスイッチバルブは、ＥＰＶＢと、ブランク側のパイロット空気供給装置とに結合される。配管網がＰスイッチバルブをパイロットバルブとブランク側のパイロット空気供給装置とに結合する。Ｐスイッチバルブおよび配管網は、欠陥品の容器が取り外されるまでＩＳマシンのブランク側からブロー側のモールドおよびブローヘッドが作動されるのを防止するように構成される。
【００１６】
[0015]ＩＳマシンの動作を制御するためのこのシステムは、配管網と、少なくとも１つのセクションのＥＰＶＢとに結合された追加のＰスイッチバルブをさらに含むことができる。１つのＰスイッチバルブがブローヘッドに結合され、１つのＰスイッチバルブがブローモールドに結合される。各それぞれのＰスイッチバルブは、ブローヘッドをＵＰ位置に、またブローモールドをＯＰＥＮ位置に設定するように構成される。一実施形態では、ＩＳマシンのブランク側のパイロット空気供給装置が、配管網を介して各Ｐスイッチバルブに直接に接続される。
【００１７】
[0016]モールド内にある欠陥品の容器を取り外さなければならない場合にＩＳマシンを制御するための方法がさらに提供される。ＩＳマシンは、ブロー側とブランク側とを有する少なくとも１つのセクションを有し、ＩＳマシンはさらに、選択的なブローヘッドおよびブローモールド（ｓｅｌｅｃｔｉｖｅ  ｂｌｏｗ  ｈｅａｄ  ａｎｄ  ｂｌｏｗ  ｍｏｌｄ）の動作を制御するためのＥＰＶＢを含む。この方法は、各々がブローヘッドおよびブローモールドに結合される、ブロー側の動作バルブと、ブロー側の低圧マニホルドと、ブロー側の排出マニホルドとを取り外すことを含む。この方法は、さらに、ＩＳマシン上に配管網を設置することを含む。この配管網は、ブロー側のＰスイッチバルブと、ＥＰＶＢと、ブランク側のパイロット空気供給装置とに流体連通される。配管網およびブロー側のＰスイッチバルブは、欠陥品の容器が取り外されるまでＩＳマシンのブランク側からブローモールドおよびブローヘッドが作動されるのを防止するように構成される。
【００１８】
[0017]ＩＳマシンを制御するための方法の別の実施形態が、１つの追加のＰスイッチバルブを配管網と少なくとも１つのセクションのＥＰＶＢとに結合することを含む。１つのＰスイッチバルブがブローモールドに結合され、１つのＰスイッチバルブがブローヘッドに結合される。各それぞれのＰスイッチバルブは、ブローモールドをＯＰＥＮ位置に、またブローヘッドをＵＰ位置に設定するように構成される。別の実施形態では、ＩＳマシンのブランク側のパイロット空気供給装置が、配管網を介して各Ｐスイッチバルブに直接に結合される。
【００１９】
[0018]本発明の装置は、その構成が耐久性および持続性の両方を有し、その動作寿命を通して使用者によるメンテナンスをほとんどまたはまったく必要としない。最後に、上述のすべての利点は、関連する実質的な欠点を一切生じさせることなく実現される。
【００２０】
[0019]本発明のこれらのおよび別の利点は図面を参照して最も良く理解される。
【図面の簡単な説明】
【００２１】
【図１】[0020]ブローヘッドおよびブローモールドを含む少なくとも１つのセクションを有するＩＳマシンを示す概略図であり、ここでは、ブローヘッドおよびブローモールドが、ブロー側の低圧空気マニホルドを介してブランク側の低圧動作空気供給装置に結合されたブロー側動作バルブを用いて制御され、またここでは、Ｐスイッチバルブがブロー側動作バルブに結合されさらにはＥＰＶＢから動作パイロット信号（ｏｐｅｒａｔｉｎｇ  ｐｉｌｏｔ  ｓｉｇｎａｌ）を提供する。
【図２】[0021]Ｐスイッチバルブを介して供給されるブランク側のパイロット空気を用いてブローヘッドおよびブローモールドを制御するＥＰＶＢに結合される、ＩＳマシンのブロー側にあるＰスイッチバルブを備える、図１に示されるＩＳマシンを示す概略図である。
【図３】[0022]２つのＰスイッチバルブが起動されている場合にＩＳマシンのブランク側からブローヘッドおよびブローモールドが作動されるのを防止するように構成される、図２に示されるＩＳマシン内のＥＰＶＢを示す部分断面図である。
【発明を実施するための形態】
【００２２】
[0023]ＩＳマシン１１０が、ブランク側１１８と、１つのセクション１２０を構成するブロー側１１２とを含む。通常のＩＳマシン１１０は同時に動作する２６個のセクションを含むことができる。
【００２３】
[0024]ＩＳマシン１１０内には、所与のセクション１２０のためのブローヘッド１１４およびブローモールド１１６のための制御システムの一部として、ＩＳマシン１１０のブロー側１１２に設置されるＰスイッチバルブ１０８が存在する。このＰスイッチバルブ１０８は、ＩＳマシン１１０のブロー側１１２にある低圧マニホルド１２２を介してＩＳマシン１１０のブランク側１１８にある低圧動作空気供給装置に結合される。ＩＳマシン１１０のセクション１２０内のブローヘッド１１４およびブローモールド１１６はまた、Ｐスイッチバルブ１０８に結合されたバルブ１２８を介して低圧空気供給マニホルド１２２に結合される。
【００２４】
[0025]機械操作者が特定のセクションの１つのモールド内でガラス容器１３６が圧壊したことを検出するかまたはそのことを通知されると、機械操作者が、ＩＳマシン１１０の特定のセクション１２０の運転を停止するためにＰスイッチバルブ１０８を起動させ、それにより、ブローヘッド１１４がＵＰ位置へと移動し、ブローモールド１１６がＯＰＥＮ位置へと移動する。次いで、機械操作者は、通常トングを使用して、圧壊した容器１３６をブローモールド１１６から取り外す。容器が圧壊することは、例えば定常状態のプロセス条件に到達しないなどの、モールド温度が不適切であることが原因として起こり得、または、ブローモールドプロセスで検出される別の不具合を原因としても起こり得る。
【００２５】
[0026]上述した状況では、所与のセクションのための機械が停止されておりさらにはブローモールドが開位置にありかつブローヘッドが上方位置にある場合でも、ＩＳマシンセクションが意図せず再起動されてそれにより機械操作者が怪我をする可能性がある。
【００２６】
[0027]これらの機械の操作者が怪我をするのを回避するために、ヨーロッパ連合が、Ｓｗｅｄｉｓｈ  ｓｔａｎｄａｒｄでもあるＥｕｒｏｐｅａｎ  Ｓｔａｎｄａｒｄ  ＥＮ１３０４２−３：２００７を規定している。ＥＮ１３０４２−３：２００７の公式の英語版が、「Ｐｒｅｖｅｎｔｉｏｎ  ｏｆ  Ｕｎｅｘｐｅｃｔｅｄ  Ｍｏｖｅｍｅｎｔ  ｏｆ  Ｉｎｄｉｖｉｄｕａｌ  Ｍｅｃｈａｎｉｓｍｓ」と題されるＳｅｃｔｉｏｎ５．４に記載されている。この規定は、ＩＳマシンのブランクモールド側内の、および、ＩＳマシンのブローモールド側の、指定された個別の機構の各々が意図しない原因または誤った原因により作動するのを防止することができるような、予期しない始動および移動に対する処置を各製造セクションの適切な側に設けることを定めている。
【００２７】
[0028]上述の要求に対応して、本発明は、ＩＳマシン１１０の電空式バルブブロック（ｅｌｅｃｔｒｏ  ｐｎｅｕｍａｔｉｃ  ｖａｌｖｅ  ｂｌｏｃｋ（ＥＰＶＢ））１０２内の個別の特定のパイロットバルブ機能へのパイロット空気供給装置１３２を個別に切断するように設計されるシステム１００を提供する。このシステム１００は特定のバルブについて「通常の位置」で閉鎖される。例えば、ブローモールドが閉じられている状態およびブローヘッドが機能している状態が、ＩＳマシン１１０のブロー側１１２から空気圧式に遮断される。Ｐスイッチバルブ１０８が起動されると、ブローモールド１１６がＯＰＥＮ位置に設定され、ブローヘッド１１４がＵＰ位置に設定される。Ｐスイッチバルブ１０８が起動される場合、システム１００により、ＩＳマシン１１０が動作すること、すなわち、ブローモールドが閉じられることおよび／またはブローヘッドが下方に移動することが、ＩＳマシン１１０のブランク側１１８から無効化され得ないようになる。さらに、ＩＳマシン１１０のＥＰＶＢ１０２上で起動され得るブローモールド１１６およびブローヘッド１１４が無効化されている場合でも、システム１００により、事例に応じてよいがＰスイッチバルブ１０８のオン／オフを切り替えることによってのみ、ブローモールド１１６およびブローヘッド１１４を動作さることができるようになっている。
【００２８】
[0029]システム１００は、Ｐスイッチバルブ１０８までの、ブランク側のバルブのところにある個別の空気圧機能のパイロット空気の経路を再設定し、それにより特定のセクション１２０の空気圧機能を使用可能または使用不可能にすることにより、上記のような閉鎖状態を実現する。図１〜３を参照すると、パイロット空気供給装置１３２から、図２に示されるＩＳマシン１１０のＥＰＶＢ１０２部分に結合されたブローパネル上のＰスイッチバルブ１０８までの、配管網１３０を上記のように経路設定することの概略図が示されている。ブロー側の使用可能／使用不可能を切り替えるスイッチの２つの機能のためのパイロット空気の経路を再設定することによりＩＳマシン１１０の配管および動作が単純化され、また、これは適切なＥｕｒｏｐｅａｎ  Ｕｎｉｏｎ  ｓｔａｎｄａｒｄｓにも適合する。さらに、開示されるシステムを用いてパイロット空気の経路を再設定することにより、ブロー側１１２のバルブ１２６、ブロー側の低圧空気マニホルド１２２、排出マニホルド１２４、および、通常はＩＳマシン内にある複雑なセクション配管１２６をコストをかけて動作させる必要がなくなる。
【００２９】
[0030]一実施形態では、このシステムは、ＩＳマシン１１０のブロー側１１２にある電空式バルブブロック（ｅｌｅｃｔｒｏ−ｐｎｅｕｍａｔｉｃ  ｖａｌｖｅ  ｂｌｏｃｋ（ＥＰＶＢ））１０２のところでパイロット空気供給装置が追加される。別の実施形態では、パイロット管路が、バルブブロック１０２に到達する前に空気圧式スイッチ１０８を通るように経路を再設定され、それにより、バルブが作動され得ないようになり、さらに、手動で操作を行うことが不可能となる。このシステム１００により、ＩＳマシン１１０の特定のセクション１２０が意図せず動作することが防止され、それにより、機械操作者がＩＳマシン１１０のそのセクションの動作における任意の不具合を修正することが可能となる。
【００３０】
[0031]システム１００は、設置時、ＩＳＯバルブとしても知られるブロー側の（モールドの開閉のための、および、ブローヘッドのための）動作バルブ１２８のためのコストおよびそのようなバルブおよび配管１２６のための付随のコストの必要性を排除する。本システムのパイロット空気供給装置１３２の経路を再設定することにより、ブロー側のマニホルド１２２、１２４の必要性が排除され、それにより製造に関するおよび操作者に関する追加のコストを節約することができる。また、説明されるシステム内で経路が再設定されることから（図２を参照）、空気の配管１３０の複雑さが軽減されることが分かっている。ＩＳマシンシステムを閉鎖し、手動で無効化すること防止することにより、操作者は、必要となる修理が完了する前にＩＳマシンセクション１２０が予期せず動作するという懸念を排除して、修理を行うことができ、すなわち、欠陥品の容器１３６をモールド１１６から取り外すことができる。
【００３１】
[0032]本開示では、「結合」という用語は、２つの構成要素（電気的または機械的）を互いに直接にまたは間接的に接合することを意味する。このような接合は本質的に固定されてよく、または、本質的に可動であってもよい。このような接合は、単一の一体部品として互いに一体に形成される２つの構成要素（電気的または機械的）と任意の追加の中間部材とを用いて実現されてよく、または、互いに取り付けられる２つの構成要素と任意の追加の部材とを用いて実現されてもよい。このような接合は本質的に恒久的であってよく、または別法として、本質的に取り外し可能すなわち解除可能であってもよい。
【００３２】
[0033]本発明の特定の実施形態および用途を参照して本発明の上記の記述を示して説明してきたが、本発明の上記の記述は例証および説明を目的として提示されるものであり、包括的であること、すなわち、本発明を開示される特定の実施形態および用途のみに制限することを意図しない。本明細書で説明される装置に対して、本発明の精神または範囲から逸脱することなく多数の変更形態、修正形態、変形形態または代替形態が作られ得ることは当業者には明白であろう。これらの特定の実施形態および用途は、当業者が、種々の実施形態において、企図される特定の使用法に適合するような種々の修正を用いて本発明を使用することを可能にすることを目的として、本発明の原理およびその実際の用途を最も良く例証するために、選択されて記載されたものである。したがって、このようなすべての変更形態、修正形態、変形形態および代替形態は、特許請求の範囲が公正に、法的に、かつ、衡平的に認められる範囲に従い解釈される場合の、添付の特許請求の範囲によって決定される本発明の範囲内にあるとみなされるべきである。
【００３３】
[0034]本出願は添付の特許請求の範囲内の特徴の特定の組み合わせを引用するが、本発明の種々の実施形態は、これらの組み合わせがここで特許請求されているか否かによらず、本明細書で説明される任意の特徴の任意の組み合わせに関連し、また、特徴のこのような任意の組み合わせは本出願または別の出願で特許請求され得る。上で考察した例示の任意の実施形態の、任意の特徴、要素または構成要素は、単独で、あるいは、上で考察した別の任意の実施形態の、任意の特徴、要素または構成要素との組み合わせで、特許請求され得る。
【符号の説明】
【００３４】
１００  システム
１０２  電空式バルブブロック
１０８  Ｐスイッチバルブ
１１０  ＩＳマシン
１１２  ブロー側
１１４  ブローヘッド
１１６  ブローモールド
１１８  ブランク側
１２０  セクション
１２２  低圧マニホルド
１２４  排出マニホルド
１２６  配管
１２８  動作バルブ
１３０  空気の配管
１３２  パイロット空気供給装置
１３６  ガラス容器
【図１】
2013166688.tif 000003
【図２】
2013166688.tif 000004
【図３】
2013166688.tif 000005
【外国語明細書】
2013166688000001.pdf